【手続補正書】
【提出日】平成15年7月3日(2003.7.3)
【手続補正１】
【補正対象書類名】明細書
【補正対象項目名】特許請求の範囲
【補正方法】変更
【補正の内容】
【特許請求の範囲】
【請求項１】
含水蒸発残留物を再循環させ、混合し、懸濁液状態に保つ場である嫌気性コンディショナー領域に、流入廃水の流れを送る段階と、
無酸素性セレクター領域から前記嫌気性コンディショナー領域に低酸素濃度の混合液懸濁物質を送り、前記嫌気性コンディショナー領域内を溶存酸素濃度の低い状態に維持する段階と、
前記嫌気性コンディショナー領域からの流出物を第１の好気性反応槽領域に送り、前記嫌気性コンディショナー領域の流出物を前記第１の好気性反応槽領域で浄化領域からの戻り汚泥と混合することで、前記第１の好気性反応槽領域の中身を再循環させて曝気し、かつ、前記第１の好気性反応槽領域の中身に含まれる沈殿性固形物を分別し、これによって固形物や他の有機物を分解及び酸化させ、挿入固形物（insert solid）を蓄積する段階と、
蓄積された不活性固形物を前記第１の好気性反応槽領域から排出する段階と、
前記無酸素性セレクター領域の水溶液を再循環させて混合する前記無酸素性セレクター領域に前記第１の好気性反応槽領域から水溶液の流出物を送る段階と、
前記無酸素性セレクター領域の水溶液のうち低酸素濃度／混合液懸濁物質に相当する第１の部分を前記嫌気性コンディショナー領域に移送し、前記無酸素性セレクター領域の水溶液の第２の部分を第２の好気性反応槽領域に移送する段階と、
前記第２の好気性反応槽領域に含まれる水溶液を再循環させて曝気することで沈殿性固形物を分別し、これによって懸濁物質や他の有機物を分解及び酸化させる段階と、
前記第２の好気性反応槽領域の水溶液の第１の部分を前記第１の好気性反応槽領域に送る段階と、
前記第２の好気性反応槽領域の水溶液の第２の部分を前記浄化領域に送り、該浄化領域内の水溶液から固形物を沈殿または分離させる段階と、
前記浄化領域から沈殿または分離させた、戻り汚泥に相当する固形物を、前記第１の好気性反応槽領域に送る段階と、
前記浄化領域の水溶液を濾過領域に送り、該濾過領域に送られる水溶液から固形物を沈殿または分離させる段階と、
前記濾過領域の流出物のうち液体分を排出液タンクに移送し、前記濾過領域の流出物の沈殿または分離させた固形分を再プロセシング用に前記流入廃水の流れに移送する段階と、を含むことを特徴とする廃棄物を含有する水溶液を処理するための方法。
【請求項２】
含水蒸発残留物を再循環させ、混合し、懸濁状態に保つ場である嫌気性コンディショナー領域に、微生物を含む流入廃水の流れを送り、無酸素性セレクター領域から前記嫌気性コンディショナー領域への低酸素濃度の混合液懸濁物質のフローを調節して前記嫌気性コンディショナー領域内を溶存酸素濃度の低い状態に維持する、ぜいたくなリン摂取（luxury phosphorous uptake）の第１段階を達成する段階と、
前記嫌気性コンディショナー領域からの流出物を第１の好気性反応槽領域に送り、前記嫌気性コンディショナー領域の流出物を前記第１の好気性反応槽領域で浄化領域から供給される戻り汚泥と混合することで、前記第１の好気性反応槽領域の中身を再循環させて曝気し、かつ、硝化が発生し、前記第１の好気性反応槽領域の中身に含まれる沈殿性固形物を分別し、これによってぜいたくなリン摂取の第２段階を促進しつつ懸濁物質や他の有機物を分解及び酸化させ、挿入固形物を蓄積する段階と、
蓄積された不活性固形物を前記第１の好気性反応槽領域から排出する段階と、
前記無酸素性セレクター領域の水溶液を再循環させて混合する前記無酸素性セレクター領域に前記第１の好気性反応槽領域から水溶液の流出物を送り、かつ、水溶液中に含まれる有機物の消費と同時に生物学的リンの脱硝化ならびに放出が起こるように前記無酸素性セレクター領域内に低酸素環境を存在させる段階と、
無酸素性セレクター領域の水溶液のうち低酸素濃度／混合液懸濁物質に相当する第１の部分を前記嫌気性コンディショナー領域に移送し、前記無酸素性セレクター領域の水溶液のうち少なくとも第２の部分には微生物ならびに栄養塩が豊富に含まれる、前記無酸素性セレクター領域の水溶液の第２の部分を第２の好気性槽領域に移送する段階と、
前記第２の好気性反応槽領域に含まれる水溶液を再循環させて曝気することで硝化を発生させ、沈殿性固形物を分別し、これによって懸濁物質や他の有機物を分解及び酸化させると共に、微生物による大量のリン消費につながる前記ぜいたくなリン摂取の第２段階をさらに促進する段階と、
前記第２の好気性反応槽領域の水溶液の第１の部分を前記第１の好気性反応槽領域に送る段階と、
前記第２の好気性反応槽領域の水溶液の第２の部分を前記浄化領域に送り、該浄化領域に送られる水溶液から固形物を沈殿または分離させる段階と、
前記浄化領域から沈殿または分離させた固形物を戻り汚泥として前記第１の好気性反応槽領域に送る段階と、
前記浄化領域の水溶液を濾過領域に送り、該濾過領域に送られる水溶液から固形物を沈殿または分離させる段階と、
前記濾過領域の流出物のうち液体分を排出液タンクに移送し、前記濾過領域の流出物の沈殿または分離させた固形分を再プロセシング用に前記流入廃水の流れに移送する段階と、を含むことを特徴とする廃棄物を含有する水溶液を生物処理して有機物質、窒素およびリンを減少させるための方法。
【請求項３】
流入口と流体的に連結された嫌気性コンディショナー領域であって、前記流入口を介して流入廃水の流れを受入れ、含水蒸発残留物が懸濁液状態に保たれるような方法で前記嫌気性コンディショナー領域内の廃水を再循環させ、かつ、前記嫌気性コンディショナー領域内を溶存酸素濃度の低い状態に維持するために無酸素性セレクター領域から低酸素濃度の混合液懸濁物質の流れを受入れる、前記嫌気性コンディショナー領域と、
前記嫌気性コンディショナー領域と流体的に連結された第１の好気性反応槽領域であって、浄化領域から供給される戻り汚泥と混合される前記嫌気性コンディショナー領域の流出物を受入れることで、前記第１の好気性反応槽領域の中身を再循環させて曝気し、かつ、沈殿性固形物を分別し、これによって懸濁物質や他の有機物を分解及び酸化させ、不活性固形物を蓄積し、蓄積された不活性固形物が前記第１の好気性反応槽領域から排出される、前記第１の好気性反応槽領域と、
前記嫌気性コンディショナー領域および前記第１の好気性反応槽領域と流体的に連結された無酸素性セレクター領域であって、前記第１の好気性反応槽領域からの水溶液の流出物を受入れ、前記無酸素性セレクター領域内の水溶液を再循環および混合し、前記無酸素性セレクター領域の水溶液のうち低酸素濃度／混合液懸濁物質に相当する第１の部分を前記嫌気性コンディショナー領域に送る、前記無酸素性セレクター領域と、
前記無酸素性セレクター領域および前記第１の好気性反応槽領域と流体的に連結された第２の好気性反応槽領域であって、前記無酸素性セレクター領域の水溶液の第２の部分を受入れ、前記第２の好気性領域内の水溶液を再循環させて曝気することで、沈殿性固形物を分別し、前記第２の好気性反応槽領域の水溶液の第１の部分を前記第１の好気性反応槽領域に送る、前記第２の好気性反応槽領域と、
前記第２の好気性領域および前記第１の好気性領域と流体的に連結された浄化領域であって、前記第２の好気性反応槽領域の水溶液の第２の部分を受入れることで、沈殿または分離させ、かつ、前記水溶液から固形物を捕捉し、戻り汚泥に相当する沈殿固形物を前記第１の好気性反応槽領域に送る、前記浄化領域と、
前記浄化領域、前記流入口および流出口と流体的に連結された濾過領域であって、前記浄化領域からの流出物を受入れ、前記浄化領域の中身の液体分から固形物を分離し、排水に相当する前記濾過領域の中身の第１の部分を前記流出口に送り、分離された固形物に相当する前記濾過領域の中身の第２の部分を前記流入口に送って再プロセシング用に前記流入廃水の流れと混合する、前記濾過領域と、を含むことを特徴とする廃棄物を含有する水溶液を処理するための装置。
【請求項４】
汚染水溶液の処理に利用される、少なくとも１種の生物学的、物理的および化学的プロセスと有利に作用しあう機能との近接性の点で一層均一化され、よって一層利用しやすいことを含む、栄養塩と微生物と酸素とを含有する汚染水溶液の複数の構成要素のうちの少なくとも１つの条件を有利な状態に変えることで固形物の減量を促進するための方法であって、
前記汚染水溶液の少なくとも一部内でスピードと方向のうち少なくとも一方に速度変化を加える段階と、
前記汚染水溶液の少なくとも一部に圧力の変動を加える段階と、
前記汚染水溶液の少なくとも一部に作用する剪断力の大きい領域を少なくとも１つ生成する段階と、
少なくとも前記汚染水溶液の一部についてフロックおよび固形物質を細断することで、該フロックおよび固形物質の条件を有利な状態に変化させる段階と、を含むことを特徴とする方法。
【請求項５】
前記汚染水溶液の少なくとも一部内に気泡を形成する段階をさらに含むことを特徴とする請求項４に記載の方法。
【請求項６】
前記汚染水溶液を攪拌および混合し、その均質性を高める段階をさらに含むことを特徴とする請求項４に記載の方法。
【請求項７】
前記汚染水溶液を攪拌および混合し、その均質性を高める段階をさらに含むことを特徴とする請求項５に記載の方法。
【請求項８】
前記汚染水溶液中の微生物細胞の条件を有利な状態に変化させる、前記汚染水溶液中の微生物細胞を溶解する段階をさらに含むことを特徴とする請求項４に記載の方法。
【請求項９】
前記汚染水溶液中の微生物細胞の条件を有利な状態に変化させる、前記汚染水溶液中の微生物細胞を溶解する段階をさらに含むことを特徴とする請求項７に記載の方法。
【請求項１０】
前記汚染水溶液中の微生物細胞の条件を有利な状態に変化させる、前記汚染水溶液中の微生物細胞を溶解する段階をさらに含むことを特徴とする請求項６に記載の方法。
【請求項１１】
前記汚染水溶液の少なくとも一部内に気泡を形成する段階をさらに含むことを特徴とする請求項８に記載の方法。
【請求項１２】
汚染水溶液の処理に利用される、少なくとも１種の生物学的、物理的および化学的プロセスと有利に作用しあう機能との近接性の点で一層均一化され、よって一層利用しやすいことを含む、栄養塩と微生物と酸素とを含有する汚染水溶液の複数の構成要素のうちの少なくとも１つの条件を有利な状態に変えることで、処理後の量がバイオソリッド増加量正味ゼロに近づくようにバイオソリッドの正味産出物（net yield）を処理しつつ固形物の減量を促進するための方法であって、
前記汚染水溶液の少なくとも一部内でスピードと方向のうち少なくとも一方に速度変化を加える段階と、
前記汚染水溶液の少なくとも一部に圧力の変動を加える段階と、
前記汚染水溶液の少なくとも一部に作用する剪断力の大きい領域を少なくとも１つ生成する段階と、
少なくとも前記汚染水溶液の一部についてフロックおよび固形物質を細断することで、該フロックおよび固形物質の条件を有利な状態に変化させる段階と、
前記汚染水溶液中の前記微生物細胞のうち少なくともいくつかを溶解する段階と、を含むことを特徴とする方法。
【請求項１３】
前記汚染水溶液の少なくとも一部内に気泡を形成する段階をさらに含むことを特徴とする請求項１２に記載の方法。
【請求項１４】
前記汚染水溶液を攪拌および混合し、その均質性を高める段階をさらに含むことを特徴とする請求項１３に記載の方法。
【請求項１５】
前記汚染水溶液を攪拌および混合し、その均質性を高める段階をさらに含むことを特徴とする請求項１２に記載の方法。
【請求項１６】
汚染水溶液の処理に利用される、少なくとも１種の生物学的、物理的および化学的プロセスと有利に作用しあう機能との近接性の点で一層均一化され、よって一層利用しやすいことを含む、運転開始、有毒物の回収または作業要求シーケンスの際に、溶液の複数の構成要素のうち少なくとも１つの条件を有利な状態に変えることによって栄養塩と微生物と酸素とを含有する貯留容量の汚染水溶液の処理工程においてバイオマス濃度を高めるための方法であって、
前記汚染水溶液の少なくとも一部内でスピードと方向のうち少なくとも一方に速度変化を加える段階と、
前記汚染水溶液の少なくとも一部に圧力の変動を加える段階と、
前記汚染水溶液の少なくとも一部に作用する剪断力の大きい領域を少なくとも１つ生成する段階と、
少なくとも前記汚染水溶液の一部についてフロックおよび固形物質を細断することで、該フロックおよび固形物質の条件を有利な状態に変化させる段階と、
前記汚染水溶液を攪拌および混合し、その均質性を高める段階と、
前記汚染水溶液の少なくとも一部内に気泡を形成する段階と、を含むことを特徴とする方法。